(57)【要約】【課題】インジケータの表示の発光個数を減らし、省エネと装置の小型化とを図った、住宅のリビングや寝室などや、店舗や会議室などの複数の照明回路の照明器具を制御する部屋で、オン、オフ、調光調節する調光制御装置を提供する。【解決手段】照明回路の調光電力を作成する電源制御部と、直流電源部と、演算処理部と、照明回路の調光レベルを調整する調光スイッチ１６ａ、１６ｂ、１６ｃ、１６ｄと前記調光レベルを表示する発光インジケータ１５ａ、１５ｂ、１５ｃ、１５ｄを有する操作部とを備えた調光制御装置であって、複数個備える前記照明回路に対応した発光インジケータ１５ａ、１５ｂ、１５ｃ、１５ｄを備え、かつ、各発光インジケータ１５ａ、１５ｂ、１５ｃ、１５ｄは複数の発光部材ｍ１、ｍ２、ｍ３、ｍ４、ｍ５を備え、発光部材ｍ１、ｍ２、ｍ３、ｍ４、ｍ５は前記照明回路１つにつき１個以下点灯させることを特徴とする。【選択図】図２
2008243496.tif 000002
【特許請求の範囲】
【請求項１】
照明回路の調光電力を作成する電源制御部と、直流電源部と、演算処理部と、前記照明回路の調光レベルを調整する調光スイッチと前記調光レベルを表示する発光インジケータを有する操作部とを備えた調光制御装置であって、複数個備える前記照明回路に対応した前記発光インジケータを備え、かつ、該各発光インジケータは複数の発光部材を備え、該発光部材は前記照明回路１つにつき１個以下点灯させることを特徴とする調光制御装置。
【請求項２】
前記各発光インジケータの前記発光部材は調光レベルごとに色調が異なるものであることを特徴とする請求項１記載の調光制御装置。
【請求項３】
前記操作部は、前記各照明回路の調光レベルをまとめて記憶、再現の操作をする再現スイッチと、その記憶動作をさせる記憶スイッチと全回路の照明負荷をオン／オフする消灯スイッチとを備えたことを特徴とする請求項１または２記載の調光制御装置。
【請求項４】
前記操作部の前記調光スイッチと前記発光インジケータとを覆うカバーを備えたことを特徴とする請求項１ないし３記載の調光制御装置。
【発明の詳細な説明】
【技術分野】
【０００１】
本発明は、住宅のリビングや寝室などや、店舗や会議室などの複数の照明回路の照明器具を制御する部屋で、オン、オフ、調光調節する調光制御装置に関するものである。
【背景技術】
【０００２】
従来、照明器具の調光を行うために、操作スイッチを操作して点灯レベル設定を行う必要があるが、その際、点灯レベルがどの程度であるかを認識できるようにした照明制御装置が知られている（例えば、特許文献１）。
【０００３】
ところで、照明回路（負荷）の照明器具を制御する調光器は電力を扱う為、発熱量が大きく、人が操作する面にも熱の影響がでる。そのため、人が操作する面の温度を下げるためにも放熱に配慮した設計をする必要がある。それにもかかわらず、調光操作をガイドするために、操作面に熱源になるＬＥＤなどを用いた発光インジケータを備える。この発光インジケータは低電圧の直流電源を用いて発光させるため、総発光量に見合った直流電源を内蔵させる必要があり、この直流電源も発熱源になり、かつ器具を大きくする要因にもなっている。
【０００４】
例えば、図４に示すように、従来の調光制御装置１０１は、全照明回路（負荷）をオン／オフする消灯スイッチ１０２、照明条件（図の例では４つ）をそれぞれ再現する再現スイッチ１０３、照明条件を記憶させる記憶スイッチ１０４、照明負荷（図の例では４つ）のそれぞれのインジケータ部１０５、その照明負荷のそれぞれの調光レベルを増減させる調光スイッチ１０６を備えている。調光制御装置１０１は、さらに、図示していない電源制御部と直流電源部と演算処理部を備えている。
【０００５】
そして、図５に示すように、インジケータ部１０５は、照明負荷Ｌａ、Ｌｂ、Ｌｃ、Ｌｄの調節した明るさに応じて、そのそれぞれの表示を行う発光インジケータ１０５ａ、１０５ｂ、１０５ｃ、１０５ｄを有している。発光インジケータ１０５ａ、１０５ｂ、１０５ｃ、１０５ｄはそれぞれ柱状に５個のＬＥＤを配置し、その点灯数を増やす蓄積表示を採用している。例えば、点灯数５個の場合は負荷１００％、点灯数４個の場合は負荷７５〜９９％、点灯数３個の場合は負荷７４〜５０％、点灯数２個の場合は負荷２５〜４９％点灯数１個の場合は負荷１〜２４％、点灯数０個の場合は負荷０％（消灯）としている。
【０００６】
図５の例では、照明負荷Ｌａにおいては調光レベルが１００％で、発光インジケータ１０５ａのＬＥＤを５個点灯し、照明負荷Ｌｂにおいては調光レベルが６０％で、発光インジケータ１０５ｂを３個点灯するようにしている。同様に、照明負荷Ｌｃにおいては調光レベルが１０％で、発光インジケータ１０５ｃのＬＥＤを１個点灯し、照明負荷Ｌｄにおいては調光レベルが０％（点灯せず）で、発光インジケータ１０５ｄの点灯数は０としている。
【特許文献１】特開平２−９４２９３号公報
【発明の開示】
【発明が解決しようとする課題】
【０００７】
上記従来の発光インジケータでは蓄積表示するため、負荷を高くすると、それだけ、発光インジケータの発光個数が増え、発熱が多くなり、エネルギー消費も多かった。しかも、発光インジケータは低電圧の直流電源を用いて発光させるため、総発光量に見合った直流電源を内蔵させる必要がある。この直流電源も発熱源になり、かつ器具を大きくする要因にもなっていた。また、常に発光インジケータが見える装置の場合は、デザイン（見栄え）の観点から蓄積ＬＥＤ表示が望まれる。しかし、カバーで発光インジケータがかくれる装置の場合は、調光スイッチで設定する場合しかＬＥＤを見ないため、見栄えはさほど重要ではなく、視認性さえ確保できれば蓄積表示にこだわる必要はなかった。
【０００８】
本発明は、上記の課題を解決するためになされたもので、インジケータの表示の発光個数を減らし、省エネと装置の小型化とを図った調光制御装置を提供することを目的とする。
【課題を解決するための手段】
【０００９】
上記の目的を達成するために、請求項１記載の発明に係る調光制御装置は、照明回路の調光電力を作成する電源制御部と、直流電源部と、演算処理部と、照明回路の調光レベルを調整する調光スイッチと前記調光レベルを表示する発光インジケータを有する操作部とを備えた調光制御装置であって、複数個備える前記照明回路に対応した前記発光インジケータを備え、かつ、該各発光インジケータは複数の発光部材を備え、該発光部材は前記照明回路１つにつき１個以下点灯させることを特徴とする。
【００１０】
請求項２記載の発明に係る調光制御装置は、請求項１の構成において、前記各発光インジケータの前記発光部材は調光レベルごとに色調が異なるものであることを特徴とする。
【００１１】
請求項３記載の発明に係る調光制御装置は、請求項１又は請求項２の構成において、前記操作部は、前記各照明回路の調光レベルをまとめて記憶、再現の操作をする再現スイッチと、その記憶動作をさせる記憶スイッチと全回路の照明負荷をオン／オフする消灯スイッチとを備えたことを特徴とする。
【００１２】
請求項４記載の発明に係る調光制御装置は、請求項１ないし請求項２の構成において、前記操作部の前記調光スイッチと前記発光インジケータとを覆うカバーを備えたことを特徴とする。
【発明の効果】
【００１３】
請求項１に記載された発明によれば、照明回路に対応した前記発光インジケータの発光部材は照明回路１つにつき１個以下点灯させるのみであるので、点灯数を減らすことで省エネを図ることができ、装置を小型化することができる。
【００１４】
請求項２に記載された発明によれば、請求項１の発明の効果に加え、より視認性をよくすことができる。
【００１５】
請求項３に記載された発明によれば、請求項１の発明の効果に加え、操作性をよくすることができる。
【００１６】
請求項４に記載された発明によれば、請求項１の発明の効果に加え、見栄えに対しての負担を軽減することができる。
【発明を実施するための最良の形態】
【００１７】
以下、本発明の実施の形態について、図面を参照して詳しく説明する。
（実施の形態）
図１は本発明の実施の形態における調光制御装置の概略の構成を示すブロック図、図２は調光制御装置の扉を開けた状態を示す平面図、図３は発光インジケータの表示例を示すブロック図である。
【００１８】
この実施の形態の調光制御装置１は、電源制御部２と、直流電源部３と、演算処理部４と、操作部５とを備え、カバー６を有している。
【００１９】
電源制御部２は、入力電源から入力する電力をサイリスタ位相制御により調光電力を作成すると共に、電力を直流電源部３に供給する。直流電源部３は電源制御部２から供給される電力を直流化して演算処理部４および操作部５用電源として供給する。
【００２０】
演算処理部４は照明負荷Ｌａ、Ｌｂ、Ｌｃ、Ｌｄの調光を制御するため、各種演算を実行する中央処理装置の他、制御プログラムを記憶させるための読出し専用メモリ、各種データを記憶させるための随時読み書き可能メモリ、入出力インタフェースを備えたマイクロコンピュータが使用される。
【００２１】
操作部５は、図２、図３に示すように、全照明回路（負荷）をオン／オフする消灯スイッチ１２、照明条件を再現する再現スイッチ１３ａ、１３ｂ、１３ｃ、１３ｄ、照明条件を記憶させる記憶スイッチ１４、発光インジケータ１５ａ、１５ｂ、１５ｃ、１５ｄ及び調光スイッチ１６ａ、１６ｂ、１６ｃ、１６ｄからなる表示部１５を備えている。
【００２２】
再現スイッチ１３ａ、１３ｂ、１３ｃ、１３ｄは、各照明負荷Ｌａ、Ｌｂ、Ｌｃ、Ｌｄの記憶させた照明レベルの組み合わせを再現させるために使用される。照明負荷Ｌａ、Ｌｂ、Ｌｃ、Ｌｄとして、例えば、それぞれシャンデリア、間接照明、ダウンライト、ペンダントなどがある。再現スイッチの組み合わせのシーンの例としては、全灯（いつものあかり）、食事、ビデオ、リラックス時などのように設定する条件により照明負荷Ｌａ、Ｌｂ、Ｌｃ、Ｌｄの調光レベルを適宜設定することができる。
【００２３】
発光インジケータ１５ａ、１５ｂ、１５ｃ、１５ｄは、照明負荷Ｌａ、Ｌｂ、Ｌｃ、Ｌｄの調節した明るさに応じて、それぞれの調光レベルの表示を行う発光部材ｍ１、ｍ２、ｍ３、ｍ４、ｍ５を有している。
【００２４】
調光スイッチ１６ａ、１６ｂ、１６ｃ、１６ｄは、発光インジケータ１５ａ、１５ｂ、１５ｃ、１５ｄそれぞれの照明回路の調光負荷のレベルを変更するスイッチで、増加用の▲ボタンと減少用の▼ボタンを有している。
【００２５】
この実施の形態において、例えば、負荷０％の場合は無点灯（消灯）とし、負荷１〜２４％の場合はｍ１点灯、負荷２５〜４９％の場合はｍ２点灯、負荷５０〜７４％の場合はｍ３点灯、負荷７５〜９９％の場合はｍ４点灯、負荷１００％の場合はｍ５点灯としている。このように、各発光インジケータ１５ａ、１５ｂ、１５ｃ、１５ｄはそれぞれの発光部材ｍ１、ｍ２、ｍ３、ｍ４、ｍ５のいずれか１個が点灯するか無点灯、換言すれば、１個以下の点灯数で各照明負荷を表示する。
【００２６】
図３に照明負荷Ｌａ、Ｌｂ、Ｌｃ、Ｌｄをそれぞれ１００％、６０％、１０％、０％に調節した場合の発光インジケータ１５ａ、１５ｂ、１５ｃ、１５ｄの点灯状態を示している。
【００２７】
発光部材ｍ１、ｍ２、ｍ３、ｍ４、ｍ５としては、ＬＥＤが発熱が小さいことから好ましい。照明負荷のレベルを識別しやすくする手段として、その寸法をｍ１から順次大きくしてｍ５を最大の寸法にしたものとしてもよい。
【００２８】
また、照明負荷のレベルを識別しやすくする他の手段として、発光部材ｍ１、ｍ２、ｍ３、ｍ４、ｍ５は、それぞれ色温度が高い青っぽい色を調光レベルの小さいｍ１に用い、順次色温度を変え、色温度が低めの白熱灯に近い黄色い光を大きな調光レベルのｍ５に用いるようにしてもよい。例えば、ｍ１を青色とし、ｍ２を水色とし、ｍ３を白色とし、ｍ４を薄黄色とし、ｍ５を黄色とする。このように、調光レベルにより、発光寸法を変えたり、発光部材の色を変えたりすると、消費電力を増加させることなく、設定値の視認性を向上することができる。
【００２９】
また、各発光部材ｍ１、ｍ２、ｍ３、ｍ４、ｍ５は、それぞれについて、色温度が高い青色から、水色、薄黄色、黄色と順次小さい色温度に変えて用いてもよい。そのようにすると、各発光部材ｍ１、ｍ２、ｍ３、ｍ４、ｍ５それぞれについて、５段階の調光レベルが表示でき、各発光インジケータについては消灯の調光レベルを表示することでより多数段階の表示をすることができる。このように、調光レベルにより発光部材の色を変えると、消費電力を増加させることなく、設定値の視認性を向上させることができる。
【００３０】
記憶スイッチ１４は、再現スイッチ１３ａ、１３ｂ、１３ｃ、１３ｄで記憶した調光レベルを変更して設定する場合に使用する。例えば、再現スイッチ１３ａで記憶している負荷Ｌａの調光レベルを変えるとき、調光スイッチ１６ａの△又は▽を押して調光レベルを所要のレベルに変え、照明負荷Ｌｂ、Ｌｃ、Ｌｄについても、同様に調光レベルを変え、所要の条件になったら、記憶スイッチ１４を押して、その調光レベルの条件の組み合わせを固定して、電源制御部２に記憶させる。
【００３１】
カバー６は、回動動可能に設けられ、消灯スイッチ１２を操作可能なように開口１８が設けられると共に、再現スイッチ１３ａ、１３ｂ、１３ｃ、１３ｄでそれぞれのスイッチで記憶した調光レベルの照明ができるように、開口がそれぞれ設けられ、さらに表示灯１２が確認できるように開口２０が設けられている。
【００３２】
上記のように構成してなる調光制御装置の点灯、調光、消灯操作について図２により説明する。
【００３３】
点灯するときは、消灯スイッチ１２をオンすると、消灯時に使用していた調光レベルの照明が実行される。調光レベルを記憶した条件であれば、再現スイッチ１３ａ、１３ｂ、１３ｃ、１３ｄのいずれかをオンして、記憶した調光レベルの照明が実行される。
【００３４】
もし、再現スイッチ１３ｂで照明負荷Ｌｄの調光レベルを変える場合は、再現スイッチ１３ｂをオンしておき、変えたい照明負荷Ｌｄについて、その調光スイッチ１６ｄの▲又は▼を押して調光レベルを所要のレベルに変えることで、調光レベルを設定する。すると、その調光レベルでの照明がされる。その調光レベルはそのとき限りで終わらせる場合は、そのまま消灯すれば、変更する前の再現スイッチ１３ｂで呼び出した調光レベルに戻る。もし、変更した調光レベルを維持する場合は、再現スイッチ１３ｂを点灯して調光スイッチ１６ｄを変更して点灯した状態で記憶スイッチ１４をオンすることで、再現スイッチ１３ｂの調光レベルは変更後の状態で記憶される。この操作は他の再現スイッチと照明負荷についても同様に行う。
【００３５】
消灯スイッチ１２と再現スイッチ１３ａ、１３ｂ、１３ｃ、１３ｄはカバー６をしたままで操作することができ、その他のスイッチ類を操作するときはカバー６を開けて操作すればよいから、スイッチ類の見栄えをそれ程考慮しなくてもよく、設計が容易になる。
【００３６】
なお、本願発明の制御条件は上記実施の形態に限られないことは勿論である。例えば、上記実施の形態では、発光部材の数を１照明負荷に付き５個とし、照明負荷、再現スイッチを４個としているが、これに限られず適宜の数とすることができる。
【図面の簡単な説明】
【００３７】
【図１】本発明の実施の形態における調光制御装置の概略構成を示すブロック図である。
【図２】その調光制御装置のスイッチ類の配置を示す平面図である。
【図３】その発光インジケータの表示例を示すブロック図である。
【図４】従来の調光制御装置のスイッチ類の配置を示す平面図である。
【図５】従来の調光制御装置の発光インジケータの表示例を示すブロック図である。
【符号の説明】
【００３８】
１  調光制御装置
２  電源制御部
３  直流電源部
４  演算処理部
５  操作部
６  カバー
１２  消灯スイッチ
１３ａ、１３ｂ、１３ｃ、１３ｄ  再現スイッチ
１４  記憶スイッチ
１５ａ、１５ｂ、１５ｃ、１５ｄ  発光インジケータ
１６ａ、１６ｂ、１６ｃ、１６ｄ  調光スイッチ
ｍ１、ｍ２、ｍ３、ｍ４、ｍ５  発光部材（ＬＥＤ）
Ｌａ、Ｌｂ、Ｌｃ、Ｌｄ  照明負荷（回路）
【図１】
2008243496.tif 000003
【図２】
2008243496.tif 000004
【図３】
2008243496.tif 000005
【図４】
2008243496.tif 000006
【図５】
2008243496.tif 000007